(57)【要約】      （修正有）【課題】劣化しにくく、汗を吸収させずに使用可能であって、非プレー時における見栄えを改善したスポーツウェアの提供。【解決手段】ウェアの適宜箇所に柔軟性と気密性のある素材で構成したエアバッグ１１を配設し、エアバッグに空気を注入するための手動ポンプ１４のような空気注入手段と、エアバッグに注入した空気を抜くためのリリース１５とを設ける。エアバッグを転倒時に打撲しやすい箇所に設けることにより、プレー中は空気を注入したエアバッグによるクッション効果を得る一方、非プレー時には空気を解放してウェアの見栄えを向上させ持ち運びを容易とする。エアバッグは冷気を遮断し蓄熱性があるので、とくに冬期スポーツ用のウェアに適する。【選択図】図１
0003104644.tif 000002
【実用新案登録請求の範囲】
【請求項１】
スポーツウェアに柔軟性と気密性のある素材で構成したエアバッグを配設するとともに、該エアバッグに空気を注入するための空気注入手段と、エアバッグに注入した空気を抜くためのリリースとを設けることを特徴とするスポーツウェア。
【請求項２】
エアバッグはスポーツウェアの外素材と内素材の間に配設することを特徴とする請求項１記載のスポーツウェア。
【請求項３】
空気注入手段は、押圧解放操作によって後段に空気を送り込むことの出来る手動ポンプと、該手動ポンプとエアバッグとを連絡する可撓性のチューブとを備えるよう構成することを特徴とする請求項１または請求項２記載のスポーツウェア。
【請求項４】
スポーツウェアは、ジャケット、パンツ、関節用サポータ、頭部用プロテクタ、グローブ、首用プロテクタ、ゴーグルから選択した一であることを特徴とする請求項１ないし請求項３記載のスポーツウェア。
【請求項５】
パンツの臀部領域にエアバッグと可撓性のチューブとを配設するとともに、空気注入用の手動ポンプと空気解放用のリリースとを、腰回りの箇所に配する一方、
少なくともエアバッグとチューブとを、パンツの外素材と内素材の間に配することを特徴とする請求項３記載のスポーツウェア。
【考案の詳細な説明】
【技術分野】
【０００１】
本考案は、スポーツウェアに係り、とくに転倒事故が多いウィンタースポーツ用のウェアに関する。
【背景技術】
【０００２】
スポーツは、どのような種類のものであれ衝突や転倒によって打撲することが多い。衝突や転倒による打撲の被害を最小限に抑えるため、例えば剣道やアイスホッケーのような競技では防具やプロテクタを用いるし、バレーボールのような競技では関節部分の擦傷を抑えるサポータ類を装着する。
【０００３】
一方、冬期のスポーツ、例えばスノーボードやスキーは、初心者に限らず上級テクニックを身につけているプレーヤーでも転倒する確率が少なくない。このため、冬期スポーツ用の各種のプロテクタ類が提案されており、転倒時の打撲等を最小限に抑え大きな事故を未然に防止する工夫がなされている。
【０００４】
例えば、特開平０９−２９９５４０には、スノーボード等における転倒時の腰回りの保護のためのヒップガードが提案されている。これはパッドを大腿骨上部の大転子（腰の左右の出っ張った骨）の部分に装着する提案である。また特開平１０−０８５３７９および特開平１０−０９９４７９には、スノーボードの転倒時に後頭部を保護するプロテクタ（クッション材）を配する技術が提案され、特開平１０−２４８８６３には手関節に装着するバネ利用のプロテクタが提案されている。
【特許文献１】特開平０９−２９９５４０号公報
【特許文献２】特開平１０−０８５３７９号公報
【特許文献３】特開平１０−０９９４７９号公報
【特許文献４】特開平１０−２４８８６３号公報
【考案の開示】
【考案が解決しようとする課題】
【０００５】
従来提案されているプロテクタは、転倒時の衝撃を緩和する機能はあるが、例えば発泡樹脂のような樹脂系クッション材を用いるため経年劣化が激しいだけでなく、汗を含み異臭を放ちやすいという問題がある。
【０００６】
また、従来のプロテクタ類はウェアと別体の製品であるため、装着したままでは装着部分が膨らんだように見えて恰好が悪いし、取り外すと余分な荷物となって持ち運びが煩わしいうえ、紛失する可能性も少なくない。
【０００７】
そこで、本考案の目的は、経年劣化しにくく、汗を吸収させずに使用可能であって、非プレー時における見栄えを改善することにある。
【課題を解決するための手段】
【０００８】
前記目的を達成するため、請求項１に係るスポーツウェアは、柔軟性と気密性のある素材で構成したエアバッグを配設するとともに、該エアバッグに空気を注入するための空気注入手段と、エアバッグに注入した空気を抜くためのリリースとを設ける。
【０００９】
エアバッグを転倒時に打撲しやすい箇所に設けることにより、プレー中は空気を注入したエアバッグによるクッション効果を得る一方、非プレー時には空気を解放してウェアの見栄えを向上させ持ち運びを容易とする。
【００１０】
請求項２は、エアバッグをスポーツウェアの外素材と内素材の間に配設するものである。プレー中はクッション材として機能するエアバッグは、見栄えの改善の点では出来るだけ目立たないよう配することが望ましい。このためにはウェアの裏側にエアバッグを露出させて設けることもできるし外部から見えないようカバー布地を被せることも出来るが、摩擦等によるエアバッグの摩耗や破損を確実に防止し、ウェアとしての品質を高めるためには、ウェア自体の外布地と内布地の間に挟み込んでエアバッグを配することが望ましい。
【００１１】
請求項３は、空気注入手段を、押圧解放操作によって後段に空気を送り込むことの出来る手動ポンプと、該手動ポンプとエアバッグとを連絡する可撓性のチューブとによって構成するものである。エアバッグに空気を注入するだけならば、水泳用の浮き輪と同様に空気注入口に唇を当てて直接空気を吹き込むこともできるし、別体の手動ポンプを用いることもできる。しかしウェアに予め搭載させた手動ポンプを利用してチューブ経由で空気を注入する方が簡便である。打撲時のダメージを軽減させるためのエアバッグへの空気の注入量はそれほど多くはないので、小型の手動ポンプでも十分に実用価値を発揮するからである。
【００１２】
請求項４は、請求項１〜請求項３に係る考案を適用するスポーツウェアの種類に係るものであり、ジャケット、パンツ、関節用サポータ、頭部用プロテクタ、グローブ、首用プロテクタ、ゴーグルに適用することを例示する。限定列挙ではなく適用可能な主たるスポーツウェアの種類を列挙したものである。例えばパンツにも外履き用のものと内履き用のものがあるとすれば、いずれか一方に適用して良いことは勿論である。
【００１３】
請求項５は、運動用特殊衣服としてのパンツの臀部領域にエアバッグを配するものである。各種のスポーツのうちでも、スノーボードは初心者上級者を問わず転倒する機会が多く、しかも転倒時の事故を軽減するために臀部から接地する機会が多い。またリフトに乗るなど腰かける機会も少なくない。このため、パンツの臀部領域にエアバッグを配し、とくに尾てい骨まわりの打撲のダメージを軽減する。腰かけるときにも気持ちがよい。
【考案の効果】
【００１４】
本考案に係るスポーツウェアは、エアバッグを使用するので、常時クッション材として膨らんでいる旧来の素材に較べて経年劣化しにくく、汗を吸収しにくい樹脂等の低コスト素材を選択的に利用することも出来る。非プレー時には空気を抜くことが出来るので、ウェアの見栄えを改善できる利点もある。常時装着しているジャケットやパンツのようなウェアに一体的に設けるので、紛失する可能性も確実に低減する。
【考案を実施するための最良の形態】
【００１５】
図１は、本考案に係るスポーツウェアの一例を示すものである。これは、スポーツウェア、例えばスノーボードパンツ１０にエアバッグ１１を配設したものであり、臀部まわりに適宜数、例えば二つのエアバッグ１１を配設する一方、エアバッグ１１に対応させて腰まわりに二つの手動ポンプ１４と空気解放用のリリース１５を設け、エアバッグ１１と手動ポンプ１４とを、それぞれ柔軟性のある樹脂製のチューブ１８によって連絡したものである。リリース１５は、エアバッグ１１と手動ポンプ１４との間に配する。この実施形態では手動ポンプ１４と一体に成形し、腰まわりに位置してある。
【００１６】
エアバッグ１１を二つに分けて臀部の湾曲部に個別に配するのは、全体をひとつのエアバッグとして構成すると、リフトに腰かけるときなどに違和感が生ずるし無理な力が加わって破損しやすい点を考慮したためである。エアバッグを分割するときは左右の隙間はできるだけ小さく設計することが望ましい。エアバッグ１１の面積は大きいほうが望ましいが、尾てい骨まわりに一個の小さなエアバッグを設けるだけでも良い。
【００１７】
エアバッグ１１の素材は柔軟性と気密性があるもの、例えばポリウレタンのシート材を重ね合わせて成形する。１２は、ポリウレタンのシート材を重ね合わせて溶着させた封密部、１３は、空気を入れるためのエア充填部である。転倒時には、エアバッグ１１には強い衝撃が加わるため、破損によるエア漏れを確実に防止するためにポリウレタンのシート材はやや肉厚のもの、例えば肉厚１〜３ｍｍ程度のものを使用し、外周の封密部（溶着部）１２は若干大きめの幅寸法、例えば１０ｍｍ程度としておくことが望ましい。
【００１８】
エアバッグ１１と手動ポンプ１４とを連絡するチューブ１８は、過剰な余裕長を必要としないので、ほぼ直線を描いてエア充填部１３と手動ポンプ１４とを連絡するようにしておくことが望ましい。チューブ１８の下端部は、先端がエア充填部１３に入り込んでいれば良い。なお、チューブ１８の下端部（端縁）とエア充填部１３とを接続する部分にコネクタ部品を用いても構わないが、出来るだけシンプルな構造でコストを抑えるためにはチューブ１８の下端部をエア充填部１３の上端近傍に配置させつつ、封密部１２を溶着させチューブ１８を固定して上下左右への動きを拘束すれば良い。封密部１２の幅寸法を１０ｍｍ前後に設定しておけば、チューブ１８は移動不能の状態で完全に固定することが出来る。
【００１９】
小型の手動ポンプ１４と空気解放用のリリース１５は、一体部品として構成することが望ましい。例えば、図２に示すように、手動によって伸縮運動させることの出来るポンプ本体２１の弁体２２の下流にリリース１５を設ける一方、リリース１５を着脱自在のキャップ１６によって構成する。空気注入時にはキャップ１６を装着しておくことにより、手動によってポンプ本体２１から押し出される空気は弁体２２を開いてチューブ１８の下流へ流れ、エア充填部１３を膨らませる。一方、図３に示すように、座った状態でキャップ１６の装着を外すと、エア充填部１３の空気はチューブ１８を上流側（手動ポンプ側）に流れ、リリース１５の開口から外気に解放される。１９は、エアの吸引開口である。３２は、弁体２２の回転軸、３４は、弁体２２の回動を制限するストッパである。
【００２０】
この実施形態で使用するエアの充填・解放用の構成部材、すなわちエアバッグ１１、手動ポンプ１４、リリース１５、チューブ１８は、いずれもスノーボードパンツ１０の外素材と内素材との間に配して、外部に露出させないようにすることが望ましい。ウェアとしての見栄えを良好にするためである。この場合は、空気の流入流出を可能とするため、少なくとも手動ポンプ１４とリリース１５を配する腰まわり（ゴムまたはベルトの装着部）の素材は通気性のある生地を使用することが望ましい。腰まわりの素材に通気性がなくても、適用箇所にエアの流動を可能にする部分、例えば孔部やメッシュ生地を設けておけば良いことは当然である。
【００２１】
従って、かかる構成によれば、スノーボードパンツ１０の臀部領域に配したふたつのエアバッグ１１によって、転倒時の衝撃を確実に低減することが出来る。エアバッグ１１は、腰まわりに配した手動ポンプ１４に簡単に膨らませる（空気注入）することが出来る。また、腰かけた状態でリリース１５のキャップ１６を外せば簡単に空気を抜くことが出来るので、パンツ（１０）を装着したままでも見栄えに違和感がなく、ファッション上の問題も生じない。エアバッグ１１に空気が充填している状態では、腰かけたときに樹脂製のクッション材とは異なる感触、つまりふわふわとした独特の弾力があり、しかもプレー中にも冷熱の遮断効果と蓄熱効果があるので樹脂製のクッション材と比較してもはるかに快適である。
【００２２】
また、エアバッグ１１をパンツ（１０）の外素材と内素材の間に適宜の配設方法、例えば縫い込み固定してあるので、エアバッグ１１は上下左右に動きにくく、破損しにくい耐久性のある構造となる。この実施形態はスノーボードパンツ１０を例にとって説明したが、同じパンツ（１０）を他のスポーツ、例えばスキー、スケートのような冬期スポーツウェアとして使用できることは当然である。また冬期スポーツでなくても、例えば野球やバレーボールの練習時に打撲防止用のウェアとして用いることが出来る。
【００２３】
なお、エアバッグ（１１）の数と素材および形状は本実施形態に限定されない。例えば素材は樹脂以外にも革布地を使用することが出来る。革布地も柔軟性と気密性をもつからである。エアバッグ（１１）やチューブ（１８）の配設位置は、必ずしもウェアの外素材と内素材の間に限定されない。例えばウェアの内素材側に配しても外観上の問題はないからである。被覆布地によってエアバッグ（１１）等の存在を外部から秘匿することも出来る。エアバッグ（１１）等が動かないようにウェアに固定しておけば、動きによる損傷劣化ないし破損は防止できる。
【００２４】
運動中の打撲の部位は個人差もあるし種目によって異なる。従って、例えばスノーボードでいえば、関節プロテクタ、頭部プロテクタ、グローブ、首用プロテクタなど、ウェアと一体化して構成することが出来る。肘の関節プロテクタはジャケットの肘部分にエアバッグ（１１）を配設すれば良く、膝の関節プロテクタはズボン（パンツ）の膝部分にエアバッグ（１１）を配設すれば良い。頭部プロテクタは、従来の頭部プロテクタの樹脂製クッション材に代えてエアバッグ（１１）等を装着すればよい。グローブにエアバッグ（１１）を配設すれば、手首に対する衝撃を確実に軽減することが出来る。首用プロテクタは、従来製品としては好ましいものが存在しないが、エアバッグ（１１）構造とすれば、難易度の高いプレーの練習用としての需要を見込むことが出来る。
【図面の簡単な説明】
【００２５】
【図１】実施形態に係るスノーボードパンツの構造を例示する図である。
【図２】実施形態に係るエアバッグとリリースの構造を例示する第一の図である。
【図３】実施形態に係るエアバッグとリリースの構造を例示する第二の図である。
【符号の説明】
【００２６】
１０  スノーボードパンツ
１１  エアバッグ
１２  封密部
１３  エア充填部
１４  手動ポンプ
１５  リリース
１６  キャップ
１８  チューブ
２１  ポンプ本体
【図１】
0003104644.tif 000003
【図２】
0003104644.tif 000004
【図３】
0003104644.tif 000005